(57)【要約】    【課題】  光学系全体が小型で、広画角かつ高ズーム比で、しかも全ズーム範囲にわたり高い光学性能が得られるズームレンズを得ること。    【解決手段】  物体側より像側へ順に、正の屈折力の第１レンズ群、負の屈折力の第２レンズ群、正の屈折力の第３レンズ群、１つ以上のレンズ群を含む後群を有し、  広角端に比べ望遠端でレンズ全長が長くなるようにレンズ群が移動してズーミングを行うズームレンズにおいて、  広角端および望遠端における該第１レンズ群の撮像面に対する相対的移動量Ｍ１、該第１レンズ群の焦点距離ｆ１、広角端および望遠端における全系の焦点距離ｆｗ、ｆｔを各々適切に設定すること。【選択図】    図１
2010276655.tif 000002
【特許請求の範囲】
【請求項１】
物体側より像側へ順に、正の屈折力の第１レンズ群、負の屈折力の第２レンズ群、正の屈折力の第３レンズ群、１つ以上のレンズ群を含む後群を有し、
広角端に比べ望遠端でレンズ全長が長くなるようにレンズ群が移動してズーミングを行うズームレンズにおいて、
広角端および望遠端における該第１レンズ群の撮像面に対する相対的移動量をＭ１、該第１レンズ群の焦点距離をｆ１、広角端および望遠端における全系の焦点距離をそれぞれｆｗ、ｆｔとするとき、
２０．０＜ｆ１／ｆｗ＜５０．０
７．５＜Ｍ１／ｆｗ＜４０．０
０．２＜Ｍ１／ｆｔ＜０．８
なる条件式を満足することを特徴とするズームレンズ。
【請求項２】
前記第２レンズ群の焦点距離をｆ２とするとき、
−０．１５＜ｆ２／ｆｔ＜−０．０１
なる条件式を満足することを特徴とする請求項１に記載のズームレンズ。
【請求項３】
前記第３レンズ群の焦点距離をｆ３とするとき、
０１＜ｆ３／ｆ１＜０．２５
なる条件式を満足することを特徴とする請求項１または２に記載のズームレンズ。
【請求項４】
前記ズームレンズの広角端におけるレンズ全長をＴｄｗとするとき、
０．０１＜Ｔｄｗ／ｆｔ＜１．０
なる条件式を満足することを特徴とする請求項１乃至３のいずれか１項に記載のズームレンズ。
【請求項５】
前記第１レンズ群は物体側から像側へ順に、負レンズ、正レンズ、正レンズを含むことを特徴とする請求項１乃至４のいずれか１項に記載のズームレンズ。
【請求項６】
前記第３レンズ群は１枚の負レンズと２枚の正レンズを含むことを特徴とする請求項１乃至５のいずれか１項に記載のズームレンズ。
【請求項７】
前記第３レンズ群の物体側に開口絞りを有し、広角端における該開口絞りと第３レンズ群の間隔をｄｓｗとするとき
０．２＜ｄｓｗ／ｆｗ＜１０．０
なる条件式を満足することを特徴とする請求項１乃至６のいずれか１項に記載のズームレンズ。
【請求項８】
広角端と望遠端における前記第２レンズ群の横倍率をそれぞれβ２ｗ、β２ｔとするとき、
０．０５＜β２ｗ／β２ｔ＜０．５
なる条件式を満足することを特徴とする請求項１乃至７のいずれか１項に記載のズームレンズ。
【請求項９】
前記第３レンズ群を、光軸に対し垂直方向の成分を持つ方向に移動させて、前記ズームレンズが振動したときの撮影画像のぶれを補正することを特徴とする、請求項１乃至８のいずれか１項に記載のズームレンズ。
【請求項１０】
前記後群は、物体側より像側へ順に、負の屈折力の第４レンズ群、正の屈折力の第５レンズ群からなり、ズーミングに際して各レンズ群が移動することを特徴とする請求項１乃至９のいずれか１項に記載のズームレンズ。
【請求項１１】
前記後群は、正の屈折力の第４レンズ群から成り、ズーミングに際して各レンズ群が移動することを特徴とする請求項１乃至９のいずれか１項に記載のズームレンズ。
【請求項１２】
前記後群は、物体側から像側へ順に正の屈折力の第４レンズ群と正の屈折力の第５レンズ群から構成され、ズーミングに際して第１レンズ群乃至第４レンズ群が移動することを特徴とする請求項１乃至９のいずれか１項のズームレンズ。
【請求項１３】
前記第３レンズ群の物体側にズーミングに際して、独立に移動する開口絞りを有することを特徴とする請求項１乃至１２のいずれか１項に記載のズームレンズ。
【請求項１４】
固体撮像素子に像を形成することを特徴とする、請求項１乃至１３のいずれか１項に記載のズームレンズ。
【請求項１５】
請求項１乃至１４のいずれか１項に記載のズームレンズと、該ズームレンズによって形成される像を受光する固体撮像素子とを有していることを特徴とする撮像装置。
【発明の詳細な説明】
【技術分野】
【０００１】
本発明はズームレンズ及びそれを有する撮像装置に関し、例えばビデオカメラや電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いたビデオカメラ、デジタルスチルカメラ、放送用カメラ、監視カメラ、そして銀塩フィルムを用いたカメラ等の撮像装置は高機能化され、又装置全体が小型化されている。そしてそれに用いる撮影光学系としてレンズ全長が短く、コンパクト（小型）で高ズーム比（高変倍比）で、しかも高解像力のズームレンズであることが要求されている。これらの要求に応えるズームレンズとして、物体側より像側へ順に、正、負、正の屈折力を有する第１、第２、第３レンズ群と、それに続く１つ以上のレンズ群を含む後群を有するポジティブリード型のズームレンズが知られている。ポジティブリード型のズームレンズとして、物体側より像側へ順に、正、負、正、正の屈折力の４つのレンズ群より成るズームレンズが知られている（特許文献１）。又、物体側より像側へ順に正、負、正、正、正の屈折力の５つのレンズ群より成るズームレンズが知られている（特許文献２）。又、物体側より像側へ順に正、負、正、負、正の屈折力の５つのレンズ群より成るズームレンズが知られている（特許文献３）。
【先行技術文献】
【特許文献】
【０００３】
【特許文献１】特開２００６−１３３６３２号公報
【特許文献２】特開２００７−２９２９９４号公報
【特許文献３】特開２００２−６２４７８号公報
【発明の概要】
【発明が解決しようとする課題】
【０００４】
一般にズームレンズを所定のズーム比を維持しつつ、全系を小型化するためには、ズームレンズを構成する各レンズ群の屈折力を強めつつ、レンズ枚数を削減すれば良い。しかしながら、このようにしたズームレンズは、各レンズ面の屈折力の増加に伴いコバ厚を確保するためにレンズ肉厚が増してしまう。特に前玉有効径が増大し、レンズ系全体の短縮が不十分になってくる。また、同時に望遠端における色収差などの諸収差の補正が困難になってくる。また高ズーム比化に伴い、各レンズ及びレンズ群の組立上の倒れや偏芯などによる誤差が大きくなってくる。レンズ及びレンズ群の偏芯による敏感度が大きいと偏芯により光学性能が大きく劣化し、又防振時に光学性能が大きく劣化してくる。このためズームレンズにおいては、各レンズや各レンズ群の偏芯による敏感度をなるべく小さくするのが望ましい。
【０００５】
前述した４群ズームレンズや５群ズームレンズにおいて、高ズーム比とレンズ系全体の小型化を図りつつ、良好な光学性能を得るには各レンズ群の屈折力やレンズ構成、そして各レンズ群のズーミングに伴う移動条件等を適切に設定することが重要となる。特に前玉有効径を小さくし、カメラ全体のコンパクト化を図りつつ、望遠端における色収差などの諸収差を良好に補正するためには第１レンズ群の屈折力やズーミングに際しての第１レンズ群の移動条件等を適切に設定することが重要になってくる。これらの構成を適切に設定しないと、全系の小型化を図りつつ、広画角かつ高ズーム比で高い光学性能のズームレンズを得るのが難しくなってくる。
【０００６】
本発明は、光学系全体が小型で、広画角かつ高ズーム比で、しかも全ズーム範囲にわたり高い光学性能が得られるズームレンズ及びそれを有する撮像装置の提供を目的とする。
【課題を解決するための手段】
【０００７】
本発明のズームレンズは、物体側より像側へ順に、正の屈折力の第１レンズ群、負の屈折力の第２レンズ群、正の屈折力の第３レンズ群、１つ以上のレンズ群を含む後群を有し、
広角端に比べ望遠端でレンズ全長が長くなるようにレンズ群が移動してズーミングを行うズームレンズにおいて、
広角端および望遠端における該第１レンズ群の撮像面に対する相対的移動量をＭ１、該第１レンズ群の焦点距離をｆ１、広角端および望遠端における全系の焦点距離をそれぞれｆｗ、ｆｔとするとき、
２０．０＜ｆ１／ｆｗ＜５０．０
７．５＜Ｍ１／ｆｗ＜４０．０
０．２＜Ｍ１／ｆｔ＜０．８
なる条件式を満足することを特徴としている。
【発明の効果】
【０００８】
本発明によれば、光学系全体が小型で、広画角かつ高ズーム比で、しかも全ズーム範囲にわたり高い光学性能が得られるズームレンズが得られる。
【図面の簡単な説明】
【０００９】
【図１】本発明の実施例１の広角端におけるレンズ断面図
【図２】（Ａ）、（Ｂ）、（Ｃ）本発明の実施例１に対応する数値実施例１の広角端、中間のズーム位置、望遠端の収差図
【図３】本発明の実施例２の広角端におけるレンズ断面図
【図４】（Ａ）、（Ｂ）、（Ｃ）本発明の実施例２に対応する数値実施例２の広角端、中間のズーム位置、望遠端の収差図
【図５】本発明の実施例３の広角端におけるレンズ断面図
【図６】（Ａ）、（Ｂ）、（Ｃ）本発明の実施例３に対応する数値実施例３の広角端、中間のズーム位置、望遠端の収差図
【図７】本発明の実施例４の広角端におけるレンズ断面図
【図８】（Ａ）、（Ｂ）、（Ｃ）本発明の実施例４に対応する数値実施例４の広角端、中間のズーム位置、望遠端の収差図
【図９】本発明の実施例５の広角端におけるレンズ断面図
【図１０】（Ａ）、（Ｂ）、（Ｃ）本発明の実施例５に対応する数値実施例５の広角端、中間のズーム位置、望遠端の収差図
【図１１】本発明の実施例６の広角端におけるレンズ断面図
【図１２】（Ａ）、（Ｂ）、（Ｃ）本発明の実施例６に対応する数値実施例６の広角端、中間のズーム位置、望遠端の収差図
【図１３】本発明の撮像装置の要部概略図
【発明を実施するための形態】
【００１０】
以下、本発明のズームレンズ及びそれを有する撮像装置について説明する。本発明のズームレンズは、物体側より像側へ順に、正の屈折力の第１レンズ群、負の屈折力の第２レンズ群、正の屈折力の第３レンズ群、１つ以上のレンズ群を含む後群を有している。そして広角端に比べ望遠端でレンズ全長が長くなるようにレンズ群が移動してズーミングを行う。
【００１１】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。図１１は本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。図１３は本発明のズームレンズを備えるカメラ（撮像装置）の要部概略図である、各実施例のズームレンズはビデオカメラやデジタルカメラ、ＴＶカメラ、そして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。Ｌｒは１つ以上のレンズ群を含む後群である。
【００１２】
図１、図７、図９、図１１の実施例１、４〜６のレンズ断面図において、Ｌ１は正の屈折力の第１レンズ群、Ｌ２は負の屈折力の第２レンズ群、Ｌ３は正の屈折力の第３レンズ群である。後群Ｌｒは負の屈折力の第４レンズ群Ｌ４、正の屈折力の第５レンズ群Ｌ５より成っている。実施例１、４〜６は５つのレンズ群より成るポジティブリード型の５群ズームレンズである。図３の実施例２のレンズ断面図において、Ｌ１は正の屈折力の第１レンズ群、Ｌ２は負の屈折力の第２レンズ群、Ｌ３は正の屈折力の第３レンズ群である。後群Ｌｒは正の屈折力の第４レンズ群Ｌ４より成っている。実施例２は４つのレンズ群より成るポジティブリード型の４群ズームレンズである。図５の実施例３のレンズ断面図においてＬ１は正の屈折力の第１レンズ群、Ｌ２は負の屈折力の第２レンズ群、Ｌ３は正の屈折力の第３レンズ群である。後群Ｌｒは正の屈折力の第４レンズ群Ｌ４、正の屈折力の第５レンズ群Ｌ５より成っている。実施例３は５つのレンズ群より成るポジティブリード型の５群ズームレンズである。
【００１３】
各実施例において、ＳＰは開口絞りであり、第３レンズ群Ｌ３の物体側に配置している。ＦＰはフレアー絞りであり、第３レンズ群Ｌ３の像側に配置しており、不要光を遮光している。Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。収差図において、ｄ、ｇは各々ｄ線及びｇ線、ΔＭ，ΔＳはメリディオナル像面、サジタル像面、倍率色収差はｇ線によって表している。ωは半画角（撮影画角の半分の値）、ＦｎｏはＦナンバーである。尚、以下の各実施例において広角端と望遠端は変倍用レンズ群が機構上光軸上を移動可能な範囲の両端に位置したときのズーム位置をいう。各実施例では、広角端から望遠端へのズーミングに際して矢印のように各レンズ群が移動している。
【００１４】
図１、図７、図９、図１１の実施例１、４、５、６では広角端から望遠端へのズーミングに際して矢印のように第１レンズ群Ｌ１は像側へ凸状の軌跡を描いて移動している。第２レンズ群Ｌ２は像側へ、凸状で非直線的に移動している。第３レンズ群Ｌ３は物体側へ移動している。第４レンズ群Ｌ４は物体側又は像側へ移動し、第５レンズ群は物体側へ凸状の軌跡を描いて移動している。開口絞りＳＰは他のレンズ群と独立に移動している。フレアーカット絞りＦＰは第３レンズ群Ｌ３と一体的に移動している。また、第５レンズ群Ｌ５を光軸上移動させてフォーカシングを行うリヤーフォーカス式を採用している。望遠端において無限遠物体から近距離物体へフォーカスを行う場合には各レンズ断面図の矢印５ｃに示すように第５レンズ群Ｌ５を前方に繰り出すことによって行っている。第５レンズ群Ｌ５に関する実線の曲線５ａと点線の曲線５ｂは各々無限遠物体と近距離物体にフォーカスしているときの広角端から望遠端へのズーミングに伴う際の像面変動を補正するための移動軌跡を示している。
【００１５】
実施例１、４、５、６では正の屈折力の第３レンズ群Ｌ３を光軸に対して垂直方向に移動させることにより、光学系（ズームレンズ）全体が振動（傾動）したときの撮影画像のぶれを補正している。図３の実施例２では、広角端から望遠端へのズーミングに際して矢印のように第１レンズ群Ｌ１は像側へ凸状の軌跡を描いて移動している。第２レンズ群Ｌ２は像側へ、凸状で非直線的に移動している。第３レンズ群Ｌ３は物体側へ移動している。第４レンズ群Ｌ４は物体側へ凸状の軌跡を描いて移動している。開口絞りＳＰは他のレンズ群と独立に移動している。フレアーカット絞りＦＰは第３レンズ群Ｌ３と一体的に移動している。また、第４レンズ群Ｌ４を光軸上移動させてフォーカシングを行うリヤーフォーカス式を採用している。望遠端において無限遠物体から近距離物体へフォーカスを行う場合にはレンズ断面図の矢印４ｃに示すように第４レンズ群Ｌ４を前方に繰り出すことによって行っている。第４レンズ群Ｌ４に関する実線の曲線４ａと点線の曲線４ｂは各々無限遠物体と近距離物体にフォーカスしているときの広角端から望遠端へのズーミングに伴う際の像面変動を補正するための移動軌跡を示している。さらに、実施例２では正の屈折力の第３レンズ群Ｌ３を光軸に対して垂直方向に移動させることにより、光学系（ズームレンズ）全体が振動（傾動）したときの撮影画像のぶれを補正している。
【００１６】
図５の実施例３では、広角端から望遠端へのズーミングに際して矢印のように第１レンズ群Ｌ１は像側へ凸状の軌跡を描いて移動している。第２レンズ群Ｌ２は像側へ、凸状で非直線的に移動している。第３レンズ群Ｌ３は物体側へ移動している。第４レンズ群Ｌ４は物体側へ凸状の軌跡を描いて移動している。第５レンズ群Ｌ５はズーミングに際して不動である。尚、ズーミングに際して第１レンズ群乃至第４レンズ群が移動しているが、第５レンズ群Ｌ５はズーミングに際して必要に応じて他のレンズ群と独立に移動しても良い。開口絞りＳＰは他のレンズ群と独立に移動している。フレアーカット絞りＦＰは第３レンズ群Ｌ３と一体的に移動している。また、第４レンズ群Ｌ４を光軸上移動させてフォーカシングを行うリヤーフォーカス式を採用している。望遠端において無限遠物体から近距離物体へフォーカスを行う場合にはレンズ断面図の矢印４ｃに示すように第４レンズ群Ｌ４を前方に繰り出すことによって行っている。第４レンズ群Ｌ４に関する実線の曲線４ａと点線の曲線４ｂは各々無限遠物体と近距離物体にフォーカスしているときの広角端から望遠端へのズーミングに伴う際の像面変動を補正するための移動軌跡を示している。さらに、実施例３では正の屈折力の第３レンズ群Ｌ３を光軸に対して垂直方向に移動させることにより、光学系（ズームレンズ）全体が振動（傾動）したときの撮影画像のぶれを補正している。
【００１７】
各実施例では、ズーミングに際し、広角端に比べて望遠端において第１レンズ群Ｌ１と第３レンズ群Ｌ３をいずれも物体側に位置する様に移動させている。これにより広角端におけるレンズ全長を短くしつつ、高いズーム比（変倍比）が得られるようにしている。特に、各実施例では、広角端から望遠端へのズーミングに際して第３レンズ群Ｌ３を物体側に移動させることにより、第３レンズ群Ｌ３に変倍分担を持たせている。更に正の屈折力の第１レンズ群Ｌ１を物体側へ移動させることで第２レンズ群Ｌ２に大きな変倍効果を持たせて第１レンズ群Ｌ１、第２レンズ群Ｌ２の屈折力をあまり大きくすることなく２０倍以上の高ズーム比を得ている。また、各実施例のズームレンズでは第４レンズ群Ｌ４または第５レンズ群Ｌ５を光軸上移動させてフォーカシングを行うリヤーフォーカス式を採用している。
【００１８】
尚、実施例１、４〜６において望遠端において無限遠物体から近距離物体へフォーカスを行う場合には第４レンズ群Ｌ４で行っても良い。このときは望遠端において無限遠物体から近距離物体へフォーカスを行う場合、負の屈折力の第４レンズ群を後方に繰り込むことによって行う。又、各実施例では、正の屈折力の第３レンズ群Ｌ３を光軸に対し垂直方向の成分を持つように移動させて、光軸に対し垂直方向に像を変移させている。これにより光学系（ズームレンズ）全体が振動（傾動）したときの撮影画像のぶれを補正している。各実施例では、可変頂角プリズム等の光学部材や防振のためのレンズ群を新たに付加することなく防振を行うようにし、これによって光学系全体が大型化するのを防止している。なお、各実施例では第３レンズ群Ｌ３を光軸と垂直方向に移動させて防振を行っているが、移動方式は第３レンズ群Ｌ３を光軸に対して垂直方向の成分を持つように移動させれば、どのような移動方式であっても画像のぶれを補正することが可能である。例えば鏡筒構造の複雑化を許容すれば、光軸上に回転中心を持つように第３レンズ群Ｌ３を回動させて防振を行っても良い。なお、各実施例において開口絞りＳＰはズーミングに際して各レンズ群とは独立に移動している。これにより、広角端およびその近傍のズーム位置における中間像高からの画面周辺での光量の急峻な落ちを改善している。
【００１９】
第１レンズ群Ｌ１の有効レンズ径を小型にするためには、第１レンズ群Ｌ１を構成するレンズの数が少ない方が好ましい。そこで第１レンズ群Ｌ１は物体側から像側へ順に、負レンズ、正レンズ、正レンズの３枚のレンズより構成している。具体的に各実施例においては、第１レンズ群Ｌ１を負レンズと正レンズを接合した接合レンズと、正レンズより構成している。これにより高ズーム比化を図る際に発生する球面収差と色収差を良好に補正している。第３レンズ群Ｌ３は１枚の負レンズと２枚の正レンズを含む。具体的には各実施例においては第３レンズ群Ｌ３を物体側から像側へ順に、正レンズ、負レンズ、正レンズにより構成している。これにより防振時におけるコマ収差を良好に補正している。また第３レンズ群Ｌ３は１以上の非球面を有するように構成している。これによってズーミングに伴う球面収差の変動を良好に補正している。実施例２、３では、第４レンズ群Ｌ４を物体側の面が凸形状の１枚の正レンズより構成している。図５の実施例３では最も像面側に像面に対してズーミングの際に不動（固定）の正の屈折力の第５レンズ群Ｌ５を配置している。像面湾曲などの諸収差の補正、前玉有効径の小型化、および、変倍に寄与している。
【００２０】
各実施例において、広角端および望遠端における第１レンズ群Ｌ１の撮像面に対する相対的移動量をＭ１とする。第１レンズ群Ｌ１の焦点距離をｆ１、広角端および望遠端における全系の焦点距離をそれぞれｆｗ、ｆｔとする。このとき
２０．０＜ｆ１／ｆｗ＜５０．０・・・・（１）
７．５＜Ｍ１／ｆｗ＜４０．０・・・・・（２）
０．２＜Ｍ１／ｆｔ＜０．８・・・・・・（３）
なる条件式を満足している。ここで相対的移動量Ｍ１は広角端に比べ望遠端での光軸方向の像面に対する変位量（位置の差）に相当する。相対的移動量Ｍ１の符号は正である。
【００２１】
各実施例では広角端から望遠端へのズーミング（変倍）に際し、広角端よりも望遠端でレンズ全長（第１レンズ面から像面までの長さ）が長くなるように第１レンズ群が撮像面に対して相対的に移動している。これにより広画角かつ高ズーム比を実現しながら前玉有効径を縮小している。条件式（１）は全系を小型にしつつ広画角かつ高ズーム比化するために、変倍に寄与する第１レンズ群Ｌ１の焦点距離ｆ１と広角端における全系の焦点距離ｆｗとの比を適切に定めたものである。条件式（１）の下限を超えて第１レンズ群Ｌ１の焦点距離ｆ１が広角端における全系の焦点距離ｆｗに比べて小さくなると、広画角化した際に広角端における倍率色収差の補正が困難になる。また、高ズーム比化した際に望遠端においては軸上色収差、倍率色収差が増大してくる。また、第１レンズ群Ｌ１を構成する正レンズのコバの厚みを確保するのが困難になり、製造のために有効径を大きくしなければならないので良くない。また組み立ての際に第１レンズ群Ｌ１の偏芯敏感度が高くなり、光学性能の劣化の原因になる。逆に上限を超えて第１レンズ群Ｌ１の焦点距離ｆ１が広角端における全系の焦点距離ｆｗに比べて大きくなると高ズーム比化した際にズーミング時における第１レンズ群Ｌ１の移動量が大きくなり、全系が大型化してくる。また、望遠端において球面収差が大きくなる。更に第１レンズ群Ｌ１のズーミングの際の移動量が増大し、ズーミング時の像ゆれや、振動音が増大してくるので良くない。
【００２２】
条件式（２）は全系を小型にしつつ広画角かつ高ズーム比化するために、変倍に寄与する第１レンズ群Ｌ１の像面に対する相対的な移動量Ｍ１と広角端における全系の焦点距離ｆｗとの比を適切に定めたものである。条件式（２）の下限を超えると第１レンズ群Ｌ１のズーミングの際の移動量が小さくなるため、広角端におけるレンズ全長が大きく（長く）なる。また、それに伴い周辺光量を確保するために前玉有効径が肥大化するため第１レンズ群Ｌ１をコンパクト化するのが困難になる。さらに、広角端における像面湾曲および倍率色収差の補正が困難になる。逆に条件式（２）の上限を超えると第１レンズ群Ｌ１のズーミングの際の移動量が大きくなるため、望遠端でのレンズ全長（第１レンズ面から像面までの距離）が長くなりコンパクト化が難しくなる。また、カメラ厚を短縮するためにレンズ鏡筒を沈胴しようとすると沈胴段数が増え、鏡筒径が大型化する。さらに、第１レンズ群Ｌ１の移動量の増大に伴いズーミング時の像ゆれや、振動音が増大してくるので良くない。また、望遠側において周辺光量を確保しようとすると前玉有効径が大きくなり、全系のコンパクト化が困難になる。
【００２３】
条件式（３）は全系を小型にしつつ広画角かつ高ズーム比化するために、変倍に寄与する第１レンズ群Ｌ１の像面に対する相対的な移動量Ｍ１と望遠端における全系の焦点距離ｆｔとの比を適切に定めたものである。条件式（３）の下限を超えると第１レンズ群Ｌ１のズーミングの際の移動量が小さくなるため、広角端におけるレンズ全長が大きくなる。また、それに伴い広角端における周辺光量を確保するために前玉有効径が肥大化するため、第１レンズ群Ｌ１をコンパクト化するのが困難になる。さらに、望遠端において軸上色収差、倍率色収差の補正が困難となる。逆に条件式（３）の上限を超えると第１レンズ群Ｌ１のズーミングの際の移動量が大きくなるため、望遠端でのレンズ全長が長くなりコンパクト化が難しくなる。また、カメラ厚を短縮するためにレンズ鏡筒を沈胴しようとすると沈胴段数が増え、鏡筒径が大型化する。さらに、第１レンズ群Ｌ１の移動量の増大に伴いズーミング時の像ゆれや、振動音が増大してくるので良くない。また、望遠側での周辺光量を確保するために前玉有効径が大きくなり、全系のコンパクト化が困難になる。さらに、望遠端において球面収差が大きくなるため好ましくない。
【００２４】
各実施例では以上のように条件式（１）、（２）、（３）を満足するように第１レンズ群Ｌ１の焦点距離および広角端と望遠端における第１レンズ群Ｌ１の位置関係およびズーミングの際の移動量を適切に設定している。これにより、ズーム全域で高い光学性能を維持した広画角かつ高ズーム比で前玉有効径が小さく、沈胴長が短く、製造時も組み立てやすいコンパクトなズームレンズを達成している。尚、更に好ましくは条件式（１）〜（３）の数値範囲を次の如く設定するのが良い。
２０．０＜ｆ１／ｆｗ＜４０．０・・・・（１ａ）
８．５＜Ｍ１／ｆｗ＜３０．０・・・・・（２ａ）
０．３＜Ｍ１／ｆｔ＜０．７・・・・・・（３ａ）
各実施例では、以上の如く構成することにより、広画角かつ高ズーム比でズーム全域にわたり高い光学性能を有したコンパクトなズームレンズを得ることができる。
【００２５】
各実施例において、更に好ましくは次の諸条件のうち１以上を満足するのが良い。第２レンズ群Ｌ２、第３レンズ群Ｌ３の焦点距離をそれぞれｆ２、ｆ３とする。
広角端におけるレンズ全長（第１レンズ面から像面までの距離）をＴｄｗとする。
広角端における開口絞りＳＰと第３レンズ群Ｌ３との間隔をｄｓｗとする。
広角端および望遠端における第２レンズ群Ｌ２の横倍率をそれぞれβ２ｗ、β２ｔとする。このとき
−０．１５＜ｆ２／ｆｔ＜−０．０１・・・・・（４）
０．０１＜ｆ３／ｆ１＜０．２５・・・・・・（５）
０．０１＜Ｔｄｗ／ｆｔ＜１．０・・・・・・（６）
０．２＜ｄｓｗ／ｆｗ＜１０．０・・・・・・（７）
０．０５＜β２ｗ／β２ｔ＜０．５・・・・・・（８）
なる条件式のうち１以上を満足するのが良い。
【００２６】
条件式（４）は全系を小型にしつつ高ズーム比化するために、変倍に寄与する第２レンズ群Ｌ２の焦点距離ｆ２の範囲を適切に定めたものである。条件式（４）の下限を超えて第２レンズ群Ｌ２の焦点距離ｆ２（負の値）が望遠端における全系の焦点距離ｆｔに比べて小さくなると、変倍に寄与する第２レンズ群Ｌ２の負の屈折力（光学的パワー＝焦点距離の逆数）が弱まる。このため、高ズーム比化するために第２レンズ群Ｌ２の移動量を大きくしなければならず、この結果、レンズ全長が長くなり全系のコンパクト化が困難になる。また、広角端におけるレンズ全長が長くなるため、周辺光量を確保するために前玉有効径も大きくなるので好ましくない。また、ズーム中間域における非点収差の補正が困難になる。逆に条件式（４）の上限を超えて第２レンズ群Ｌ２の焦点距離ｆ２が広角端における全系の焦点距離ｆｔに比べて大きくなると、変倍に寄与する第２レンズ群Ｌ２の負の屈折力が強くなる。この結果、広角端からズーム中間域においてコマ収差および像面変動を補正するのが困難になる。また、第２レンズ群Ｌ２が偏芯したときの光学性能の劣化に対する敏感度が高くなり、組み立てが困難になってくる。
【００２７】
条件式（５）は全系を小型にしつつ高ズーム比化するために、第１レンズ群Ｌ１の焦点距離ｆ１および第３レンズ群Ｌ３の焦点距離の範囲を適切に定めたものである。条件式（５）の下限を超えて第３レンズ群Ｌ３の焦点距離ｆ３が第１レンズ群Ｌ１の焦点距離ｆ１に比べて小さく（短く）なると、変倍に伴う第１レンズ群Ｌ１の移動量が大きくなり、望遠端においてレンズ全長が長くなる。また、望遠端において球面収差が悪化する。更に第３レンズ群Ｌ３で防振した際に望遠側において光学性能が悪化してくるので良くない。逆に条件式（５）の上限を超えて第３レンズ群Ｌ３の焦点距離ｆ３が第１レンズ群Ｌ１の焦点距離ｆ１に比べて大きく（長く）なると、第１レンズ群Ｌ１のズーミングの際の移動量が小さくなり、広角端においてレンズ全長が長くなる。又、周辺光量の落ちを抑えるために前玉有効径が大きくなる。また、第１レンズ群Ｌ１の偏芯敏感度が高くなり、光学性能が悪化してくるため良くない。
【００２８】
条件式（６）は全系を小型にしつつ高ズーム比化するために、広角端におけるレンズ全長Ｔｄｗの範囲を適切に定めたものである。条件式（６）の下限を超えて広角端におけるレンズ全長Ｔｄｗが短くなると主に広角端における像面湾曲や歪曲の補正が困難になる。また高ズーム比化するために広角端から望遠端への変倍に際し、第１レンズ群Ｌ１を像面に対し物体側へ相対的に移動させると望遠端におけるレンズ全長が長くなり、コンパクト化が困難になる。また望遠端付近の周辺光量の急峻な落ちを低減するために前玉有効径が大きくなるため良くない。逆に条件式（６）の上限を超えて広角端におけるレンズ全長Ｔｄｗが長くなると広角端付近の周辺光量落ちを抑えるために前玉有効径を大きくしなければならず、全系のコンパクト化が困難になる。
【００２９】
条件式（７）は全系を小型にしつつ高ズーム比化し、良好な画質を保つために広角端における開口絞りＳＰと第３レンズ群Ｌ３との間隔ｄｓｗの範囲を適切に定めたものである。条件式（７）の下限を超えて広角端における開口絞りＳＰと第３レンズ群Ｌ３との間隔ｄｓｗが狭くなると広角端から中間ズーム域にかけての中間像高における周辺光量の急峻な落ちが顕著になり良くない。さらに前玉有効径が増大しコンパクト化が困難になる。条件式（７）の上限を超えて広角端における開口絞りＳＰと第３レンズ群Ｌ３との間隔ｄｓｗが広がると広角端から中間ズーム域にかけての画面最周辺部の周辺光量がケラレ、周辺光量の絶対量が不足してくるため良くない。
【００３０】
条件式（８）は全系が小型でかつ高いズーム比を得るために広角端および望遠端における第２レンズ群Ｌ２の横倍率β２ｗ、β２ｔを適切に定めたものである。条件式（８）の下限値を超えて広角端において第２レンズ群Ｌ２の横倍率β２ｗが望遠端における横倍率β２ｔに比べて小さくなりすぎるとズーミングに際して第２レンズ群の移動量が大きくなる。このため、レンズ全長が増大し、全系が大型化してくるので良くない。逆に条件式（８）の上限値を超えて広角端において第２レンズ群Ｌ２の横倍率β２ｗが望遠端における横倍率β２ｔに比べて大きくなりすぎるとズーム全域に渡ってコマ収差および像面変動の補正が困難になる。また、前玉有効径が増大してくるため、全系のコンパクト化が困難になる。
【００３１】
尚、更に収差補正及びズーミングの際の収差変動を小さくしつつレンズ系全体の小型化を図るには、条件式（４）〜（８）の数値範囲を次の如く設定するのが好ましい。
−０．１２＜ｆ２／ｆｔ＜−０．０３・・・（４ａ）
０．０５＜ｆ３／ｆ１＜０．２５・・・・・（５ａ）
０．３＜Ｔｄｗ／ｆｔ＜１．０・・・・・・（６ａ）
０．２＜ｄｓｗ／ｆｗ＜８．０・・・・・・（７ａ）
０．０５＜β２ｗ／β２ｔ＜０．３０・・・（８ａ）
各実施例によれば、以上の諸条件で満足することにより、光学系全体が小型で、広画角かつズーム比２０程度の高ズーム比で、しかも全ズーム範囲にわたり高い光学性能が得られるズームレンズが得られる。この他、各実施例によれば、該ズームレンズが振動（傾動）した時の撮影画像のぶれを補正し、像の安定化を図った各種の撮像装置に好適なズームレンズが得られる。
【００３２】
次に、本発明の実施例１〜６に各々対応する数値実施例１〜６を示す。各数値実施例においてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。またｋを離心率、Ａ４、Ａ６、Ａ８、Ａ１０を非球面係数、光軸からの高さｈの位置での光軸方向の変位を面頂点を基準にしてｘとするとき、非球面形状は、
ｘ＝（ｈ2／Ｒ）／［１＋［１−（１＋ｋ）（ｈ／Ｒ）2］1/2］
＋Ａ４ｈ4＋Ａ６ｈ6＋Ａ８ｈ8＋Ａ１０ｈ10
で表示される。但しＲは近軸曲率半径である。また例えば「Ｅ−Ｚ」の表示は「１０−Ｚ」を意味する。
【００３３】
数値実施例において最後の２つの面は、フィルター、フェースプレート等の光学ブロックの面である。各実施例において、バックフォーカス（ＢＦ）はレンズ最終面から近軸像面までの距離を空気換算長により表したものである。レンズ全長は最も物体側の第１レンズ面から最終面までの距離にバックフォーカスを加えたものである。即ち第１レンズ面から像面までの距離である。また数値実施例１乃至６におけるｒ１５は開口絞りＳＰの像側の設計上のダミー面（空気面）である。また、各数値実施例における上述した条件式との対応を表１に示す。
【００３４】
［数値実施例１］
面番号       r        d      nd         νd       
1        153.057    1.70   1.80610    33.3       
2         56.611    4.80   1.49700    81.5       
3       -371.639    0.20                         
4         57.012    3.60   1.63854    55.4       
5        362.533  (可変)                         
6         84.809    1.00   1.88300    40.8       
7          9.400    2.20                         
8         19.326    0.80   1.88300    40.8       
9         11.638    3.10                         
10        -29.711    0.70   1.88300    40.8       
11        209.523    0.20                         
12         19.736    2.20   1.94595    18.0       
13        171.363  (可変)                         
14(絞り)    ∞       0.00                          
15          ∞     (可変)                         
16*        10.920    3.00   1.58313    59.4        
17*       -68.199    2.90                          
18         31.202    0.70   1.84666    23.9        
19         10.431    0.50                          
20         18.136    2.00   1.48749    70.2        
21        -16.995    0.30                          
22(フレアーカット絞り)∞   (可変)                          
23         50.866    1.00   1.48749    70.2        
24         16.232  (可変)                          
25         16.609    2.00   1.48749    70.2        
26         84.510  (可変)                          
27          ∞       1.00   1.51633    64.1        
28          ∞                                     
像面        ∞   
非球面データ
第16面
K  =-1.61056e+000  A 4= 5.88474e-005  A 6=-2.17606e-008 
A 8=-1.41631e-008  
第17面
K = 1.06337e+002  A 4= 8.76505e-005  A 6= 1.48376e-007  
各種データ
ズーム比     28.63 
焦点距離       4.40    12.24   126.00     5.68    26.26    76.00  
Fナンバー      2.87     4.11     5.79     3.18     4.60     5.16  
画角          38.40    17.57     1.76    34.31     8.39     2.92  
像高           3.49     3.88     3.88     3.88     3.88     3.88  
レンズ全長    91.73    90.55   144.33    88.12   108.36   136.59  
BF             7.98     8.61    10.47     7.22    15.02    18.23  
d 5            0.70    17.48    70.12     3.76    37.03    62.97  
d13           33.95    15.34     1.50    28.34     6.23     1.78  
d15            8.09     1.50     1.50     5.44     2.32     2.24  
d22            1.49     8.33     7.24     3.07    11.20     8.59  
d24            6.62     6.38    20.60     7.40     3.66     9.86  
d26            6.32     6.95     8.81     5.56    13.36    16.57  
ズームレンズ群データ
群  始面    焦点距離  
1    1      94.27  
2    6      -9.71  
3   16      16.49  
4   23     -49.37  
5   25      42.00  
【００３５】
［数値実施例２］
単位 mm
面データ
面番号       r        d      nd         νd       
1        200.339    1.70   1.80610    33.3       
2         55.193    4.80   1.49700    81.5       
3       -405.444    0.20                         
4         57.441    3.60   1.77250    49.6       
5        290.583  (可変)                         
6         45.040    1.00   1.88300    40.8       
7          8.549    3.00                         
8         46.494    0.80   1.88300    40.8       
9         15.757    2.40                         
10        -32.583    0.70   1.88300    40.8       
11       -203.364    0.20                         
12         20.052    2.20   1.94595    18.0       
13        139.009  (可変)                         
14(絞り)    ∞       0.00                          
15          ∞     (可変)                         
16*        10.224    3.00   1.58313    59.4        
17*      -110.324    3.13                          
18         33.261    0.70   1.84666    23.9        
19         10.270    0.50                          
20         29.207    2.00   1.48749    70.2        
21        -19.306    0.30                          
22(フレアーカット絞り)∞   (可変)                          
23         21.830    2.00   1.48749    70.2        
24         87.057  (可変)                          
25          ∞       1.00   1.51633    64.1        
26          ∞                                     
像面        ∞   
非球面データ
第16面
K  =-1.98557e+000  A 4= 1.18348e-004  A 6=-4.37232e-007 
A 8=-2.02908e-009  
第17面
K = 1.66321e+002  A 4= 2.36275e-005  
各種データ
ズーム比     28.63 
焦点距離       4.40    13.75   126.00     5.83    33.00    68.24  
Fナンバー      2.87     4.03     6.00     3.09     4.78     5.16  
画角          38.40    15.73     1.76    33.62     6.70     3.25  
像高           3.49     3.88     3.88     3.88     3.88     3.88  
レンズ全長    90.90    95.70   149.00    88.57   117.71   137.72  
BF            11.46    19.01    12.45    12.16    25.50    23.94  
d 5            0.70    23.54    70.65     5.18    46.11    62.26  
d13           28.62    13.80     1.50    24.18     6.14     2.54  
d15           13.40     1.79     1.50     8.97     1.64     2.22  
d22            4.50     5.33    30.67     5.85     6.09    14.53  
d24            9.80    17.35    10.79    10.50    23.84    22.28  
ズームレンズ群データ
群  始面    焦点距離  
1    1      94.82  
2    6     -10.14  
3   16      19.71  
4   23      59.17  
【００３６】
［数値実施例３］
単位 mm
面データ
面番号       r        d      nd         νd       
1        201.982    1.70   1.80610    33.3       
2         55.176    4.80   1.49700    81.5       
3       -400.383    0.20                         
4         57.434    3.60   1.77250    49.6       
5        289.310  (可変)                         
6         45.476    1.00   1.88300    40.8       
7          8.621    3.00                         
8         45.507    0.80   1.88300    40.8       
9         15.484    2.40                         
10        -31.976    0.70   1.88300    40.8       
11       -209.188    0.20                         
12         20.238    2.20   1.94595    18.0       
13        165.651  (可変)                         
14(絞り)    ∞       0.00                          
15          ∞     (可変)                         
16*        10.476    3.00   1.58313    59.4        
17*      -109.714    3.19                          
18         33.725    0.70   1.84666    23.9        
19         10.497    0.50                          
20         27.571    2.00   1.48749    70.2        
21        -19.367    0.30                          
22(フレアーカット絞り)∞   (可変)                          
23         22.820    2.00   1.48749    70.2        
24         52.535  (可変)                          
25         61.754    1.50   1.48749    70.2        
26        234.087  (可変)                          
27          ∞       1.00   1.51633    64.1        
28          ∞                                     
像面        ∞   
非球面データ
第16面
K  =-2.02238e+000  A 4= 1.16754e-004  A 6=-3.86292e-007 
A 8=-2.33352e-009  
第17面
K = 1.53505e+002  A 4= 2.84066e-005  
各種データ
ズーム比     28.70 
焦点距離       4.39    13.56   126.00     5.78    32.76    68.05  
Fナンバー      2.87     3.97     6.00     3.09     4.79     5.21  
画角          38.47    15.95     1.76    33.82     6.75     3.26  
像高           3.49     3.88     3.88     3.88     3.88     3.88  
レンズ全長    92.51    97.12   150.34    90.12   119.05   139.05  
BF             6.81     6.81     6.81     6.81     6.81     6.81 
d 5            0.70    23.36    70.50     5.12    45.90    62.08  
d13           28.06    14.45     1.54    24.04     6.85     2.88  
d15           14.55     1.81     1.76     9.74     1.50     2.29  
d22            5.61     4.75    34.50     6.80     4.39    13.57  
d24            3.00    12.14     1.45     3.82    19.82    17.63  
d26            5.15     5.15     5.15     5.15     5.15     5.15  
ズームレンズ群データ
群  始面    焦点距離  
1    1      95.06  
2    6     -10.16  
3   16      19.64  
4   23      80.97  
5   25     171.58  
【００３７】
［数値実施例４］
単位 mm
面データ
面番号       r        d      nd         νd       
1        307.978    1.70   1.80610    33.3       
2         85.602    3.80   1.49700    81.5       
3       -610.374    0.20                         
4         75.989    3.00   1.77250    49.6       
5        228.098  (可変)                         
6         28.794    1.00   1.88300    40.8       
7          9.652    2.80                         
8         20.368    0.80   1.88300    40.8       
9         13.623    3.50                         
10        -34.305    0.70   1.88300    40.8       
11         56.477    0.20                         
12         22.818    2.20   1.94595    18.0       
13        394.804  (可変)                         
14(絞り)    ∞       0.00                         
15          ∞     (可変)                         
16*        10.237    3.00   1.58313    59.4       
17*       -79.569    1.82                         
18         31.410    0.70   1.84666    23.9       
19         11.348    0.90                         
20         35.371    2.00   1.48749    70.2       
21        -19.032    0.30                         
22(フレアーカット絞り)∞   (可変)                          
23         18.619    1.00   1.48749    70.2        
24         10.303  (可変)                          
25         14.182    2.00   1.48749    70.2        
26         32.840  (可変)                          
27          ∞       1.00   1.51633    64.1        
28          ∞                                     
像面        ∞   
非球面データ
第16面
K  =-1.63057e+000  A 4= 7.79666e-005  A 6= 1.05864e-008 
A 8=-1.53239e-009  
第17面
K = 2.52046e+001  A 4= 4.21229e-005  
各種データ
ズーム比     40.83 
焦点距離       4.41    13.71   179.98     5.81    35.23    82.24  
Fナンバー      2.63     4.80     8.46     3.16     5.90     6.62  
画角          38.35    15.78     1.23    33.69     6.28     2.70  
像高           3.49     3.88     3.88     3.88     3.88     3.88  
レンズ全長   100.91   108.27   199.75    97.50   144.21   179.24  
BF            10.12    16.60     8.39    10.88    24.18    23.63  
d 5            0.70    27.91   110.83     4.81    63.99    94.03  
d13           37.93    15.77     1.40    31.21     5.74     2.03  
d15           14.23     4.71     1.41    10.64     3.98     3.15  
d22            2.36     2.08    18.57     1.64     5.90    12.70  
d24            3.95     9.58    27.53     6.71     8.80    12.08  
d26            8.46    14.94     6.73     9.22    22.52    21.97  
ズームレンズ群データ
群  始面    焦点距離  
1    1     150.00  
2    6     -11.68  
3   16      17.90  
4   23     -49.26  
5   25      49.47  
【００３８】
［数値実施例５］
単位 mm
面データ
面番号       r        d      nd         νd       
1        108.712    1.60   1.80610    33.3       
2         47.557    4.40   1.49700    81.5       
3       3130.394    0.20                         
4         49.171    3.50   1.63854    55.4       
5        260.112  (可変)                         
6         73.003    1.00   1.88300    40.8       
7          8.761    2.50                         
8         24.738    0.80   1.88300    40.8       
9         12.160    2.70                         
10        -26.193    0.70   1.83481    42.7       
11       1132.750    0.20                         
12         20.450    2.00   1.94595    18.0       
13       1069.346  (可変)                         
14(絞り)    ∞       0.00                          
15          ∞     (可変)                         
16*         9.088    3.00   1.58313    59.4        
17*       -95.386    2.26                          
18         25.376    0.70   1.84666    23.9        
19          8.716    0.50                          
20         16.452    2.00   1.48749    70.2        
21        -17.657    0.30                          
22          ∞     (可変)                          
23        103.328    1.00   1.48749    70.2        
24         23.001  (可変)                          
25         18.250    2.00   1.48749    70.2        
26        202.492  (可変)                          
27          ∞       1.00   1.51633    64.1        
28          ∞     (可変)                          
像面        ∞   
非球面データ
第16面
K  =-1.34841e+000  A 4= 1.02225e-004  A 6= 2.58085e-007 
A 8= 4.57761e-009  
第17面
K = 3.36394e+001  A 4= 7.51650e-005  
各種データ
ズーム比     23.87 
焦点距離       4.40    14.60   105.00     5.78    40.51    86.13  
Fナンバー      2.85     4.41     6.00     3.14     5.22     5.41  
画角          38.41    14.86     2.11    33.82     5.46     2.58  
像高           3.49     3.88     3.88     3.88     3.88     3.88  
レンズ全長    81.46    89.10   138.23    79.12   114.80   134.20  
BF             7.87    14.99    10.37     8.99    20.90    15.03  
d 5            0.70    23.51    62.17     4.61    47.46    60.69  
d13           31.32    10.24     1.53    24.26     3.40     1.50  
d15            3.74     1.50     1.50     2.92     1.55     1.68  
d22            2.17     4.59     5.45     2.66     5.22     5.21  
d24            4.31     2.92    25.85     4.31     4.92    18.74  
d26            6.21    13.33     8.71     7.33    19.24    13.37  
ズームレンズ群データ
群  始面    焦点距離  
1    1      88.47  
2    6      -9.16  
3   16      15.69  
4   23     -60.94  
5   25      41.00  
【００３９】
［数値実施例６］
単位 mm
面データ
面番号       r        d      nd         νd       
1        340.091    1.70   1.80610    33.3       
2         84.993    4.00   1.49700    81.5       
3       -381.518    0.20                         
4         71.329    3.20   1.77250    49.6       
5        202.443  (可変)                         
6         29.162    1.00   1.88300    40.8       
7          9.781    2.60                         
8         21.139    0.80   1.88300    40.8       
9         12.616    3.50                         
10        -32.545    0.70   1.88300    40.8       
11         78.404    0.20                         
12         23.282    2.20   1.94595    18.0       
13       1165.084  (可変)                         
14(絞り)    ∞       0.00                          
15          ∞     (可変)                         
16*        10.449    3.00   1.58313    59.4       
17*       -78.459    2.21                         
18         32.505    0.70   1.84666    23.9        
19         11.179    0.70                          
20         25.703    2.00   1.48749    70.2        
21        -22.670    0.30                          
22(フレアーカット絞り)∞   (可変)                          
23         16.271    1.00   1.48749    70.2        
24         10.044  (可変)                          
25         13.957    2.00   1.48749    70.2       
26         38.035  (可変)                          
27          ∞       1.00   1.51633    64.1        
28          ∞                                     
像面        ∞   
非球面データ
第16面
K =-1.30931e+000  A 4= 3.70640e-005  A 6= 2.68934e-008  A 8=-1.22390e-009  
第17面
K = 5.76692e+001  A 4= 3.67189e-005  
各種データ
ズーム比     34.07 
焦点距離       4.40    13.59   150.00     5.81    33.76    75.16  
Fナンバー      2.50     4.42     7.51     2.98     5.37     6.09  
画角          38.39    15.92     1.48    33.72     6.55     2.95  
像高           3.49     3.88     3.88     3.88     3.88     3.88  
レンズ全長    99.61   105.16   189.40    95.97   138.17   170.48  
BF             9.73    15.49    12.19    10.23    22.68    22.48  
d 5            0.70    26.13   101.56     4.61    59.19    86.41  
d13           34.90    13.12     1.49    28.16     4.13     1.49  
d15           15.80     6.33     1.49    12.30     5.07     3.62  
d22            2.09     2.71    19.52     1.65     6.85    13.68  
d24            4.38     9.36    21.14     7.01     8.23    10.78  
d26            8.07    13.83    10.53     8.57    21.02    20.83  
ズームレンズ群データ
群  始面    焦点距離  
1    1     140.00  
2    6     -11.58  
3   16      18.30  
4   23     -56.83  
5   25      44.03
【００４０】
【表１】
2010276655.tif 000003
【００４１】
次に各実施例に示したズームレンズを撮影光学系として用いたデジタルスチルカメラの実施形態を図１３を用いて説明する。図１３において、２０はカメラ本体、２１は実施例１〜６で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。このように本発明のズームレンズをデジタルスチルカメラ等の撮像装置に適用することにより、小型で高い光学性能を有する撮像装置が実現できる。
【符号の説明】
【００４２】
Ｌ１  第１レンズ群、  Ｌ２  第２レンズ群、  Ｌ３  第３レンズ群、  Ｌ４  第４レンズ群、  ｄ    ｄ線、  ｇ    ｇ線、  ΔＭ  メリディオナル像面、  ΔＳ  サジタル像面、  ＳＰ  絞り、  ＦＰ  フレアーカット絞り、  Ｇ    ＣＣＤのフォースプレートやローパスフィルター等のガラスブロック
【図１３】
2010276655.tif 000004
【図１】
2010276655.tif 000005
【図２】
2010276655.tif 000006
【図３】
2010276655.tif 000007
【図４】
2010276655.tif 000008
【図５】
2010276655.tif 000009
【図６】
2010276655.tif 000010
【図７】
2010276655.tif 000011
【図８】
2010276655.tif 000012
【図９】
2010276655.tif 000013
【図１０】
2010276655.tif 000014
【図１１】
2010276655.tif 000015
【図１２】
2010276655.tif 000016